(57)【要約】【課題】目標物に対するヘッドのフェース面の向き調整を容易に且つ正確に行うことができるゴルフクラブ及びその補助具を提供する。【解決手段】前方の目標物を映してヘッド１の上方から見えるようにする鏡部１０がヘッド１又はヘッド１の近傍に後方に傾斜して設けられたゴルフクラブであって、鏡部１０の上方に位置して平面視においてヘッド１のフェース面４と直交する前後方向に延びる方向表示バー１１と、鏡部１０の前方であって且つ方向表示バー１１より低い位置にあって平面視において方向表示バー１１と同一線上に位置する照準用表示部とを備え、鏡部１０の前方に位置する支持部１５の後面１５Ｃに照準用表示部が設けられている。【選択図】図３
2010246843.tif 000002
【特許請求の範囲】
【請求項１】
前方の目標物を映してヘッドの上方から見えるようにする鏡部がヘッド又はヘッドの近傍に後方に傾斜して設けられたゴルフクラブであって、
鏡部の上方に位置して平面視においてヘッドのフェース面と直交する前後方向に延びる方向表示バーと、鏡部の前方であって且つ方向表示バーより低い位置にあって平面視において方向表示バーと同一線上に位置する照準用表示部とを備えていることを特徴とするゴルフクラブ。
【請求項２】
鏡部の前方に方向表示バーを支持する支持部が設けられ、該支持部の後面に照準用表示部が設けられている請求項１記載のゴルフクラブ。
【請求項３】
支持部は、アーチ状に形成されて平面視において前後方向と直交し、該支持部の頂部で方向表示バーを支持する請求項２記載のゴルフクラブ。
【請求項４】
方向表示バーは薄板状であってその端面が上方を向くように立っている請求項１記載のゴルフクラブ。
【請求項５】
方向表示バーは鏡部よりも後方に突出している請求項１記載のゴルフクラブ。
【請求項６】
方向表示バーはフェース面よりも前方に突出している請求項１記載のゴルフクラブ。
【請求項７】
方向表示バーの上面には、前後方向の長さを示す目盛りが設けられている請求項１記載のゴルフクラブ。
【請求項８】
鏡部に水平基準線が映るように鏡部の前方には水平基準面が設けられ、支持部の上面には角度を示す目盛りが設けられ、支持部の頂部の下方には角度の中心を示す中心マークが設けられている請求項３記載のゴルフクラブ。
【請求項９】
支持部の後面には、濃淡の異なる複数の緑色の色見本部が設けられている請求項３記載のゴルフクラブ。
【請求項１０】
ゴルフクラブに取り付けられてヘッドのフェース面を前方の目標物に向けるための補助となるゴルフクラブの補助具であって、目標物を映してヘッドの上方から見えるようにする後方傾斜の鏡部と、鏡部の上方に位置して平面視においてヘッドのフェース面と直交する前後方向に延びる方向表示バーと、鏡部の前方であって且つ方向表示バーより低い位置にあって平面視において方向表示バーと同一線上に位置する照準用表示部とを備えていることを特徴とするゴルフクラブの補助具。
【発明の詳細な説明】
【技術分野】
【０００１】
本発明は、ヘッドのフェース面を前方の目標物に合わせるのに適したゴルフクラブ及びその補助具に関するものである。
【背景技術】
【０００２】
例えば、パッティングにおいては、プレーヤはストレートラインやフックライン、スライスライン等を判断して打球方向を定める必要がある。その際、前方のホールの縁や樹木等を目標物にして、それにヘッドのフェース面が対向するようにパッドの向きを調整する。即ち、前方の目標物とゴルフボールとを結ぶ直線に対してフェース面が直交するようにパッドの向きを調整しなければならないが、このフェース面の向きの調整は必ずしも容易ではない。
【０００３】
そこで、かかる調整を容易にするために、中央に縦線を引いた鏡をヘッド等に取り付けたものも提案されている（下記特許文献１乃至７）。これらの場合、プレーヤは、上方から鏡を見て、鏡に映った目標物が鏡の縦線に合致するように鉛直方向を中心にパッドを回動させてフェース面の向きを調整することになる。しかしながら、鏡に引いた縦線は細いために上方から視認しにくいという問題がある。
【０００４】
一方、プレーヤが鏡を見る際にはその目がヘッドの鉛直上方に正確に位置していることが重要である。仮に、プレーヤの目がヘッドの鉛直上方から内外方向（目標物を前とした場合の前後方向に対して平面視において直交する方向であってプレーヤに近い側を内、プレーヤから遠い側を外とする）に位置ずれしていると、鏡に映る目標物を鏡の縦線に合致させたとしてもフェース面は目標物に対して傾いた状態となり、目標物に向かってボールを正確に打つことができない。そのため例えば下記特許文献２、６、７では、プレーヤの目をヘッドの鉛直上方に位置させるための工夫についても提案されている。
【０００５】
しかしながら、下記特許文献２のものでは、プレーヤはまず鏡の後方に位置する水準器を見ながらヘッドに対する目線の角度を内外方向に合わせた後、今度は鏡を見ながらその縦線に目標物が合致するようにパッドを回動させなければならず、作業が繁雑である。また、下記特許文献７についても、鏡の縦線とは別に照準器を設けているので、鏡の縦線に目標物を合致させる動作とは別に照準器を使って目線を合わせる必要がある。更に、下記特許文献６の場合には、確認棒を利用して目線を合わせることになるが、その際にも鏡の縦線が見にくいため目線を内外方向に合わせることも容易ではない。
【先行技術文献】
【特許文献】
【０００６】
【特許文献１】実開平２−１０４０７５号公報
【特許文献２】特開平７−２９９１８１号公報
【特許文献３】特開平８−２１５３５７号公報
【特許文献４】特開２０００−９３５６２号公報
【特許文献５】特開２０００−２１０３９７号公報
【特許文献６】特開２００５−２７９２０２号公報
【特許文献７】特表２００２−５１１７８８号公報
【発明の概要】
【発明が解決しようとする課題】
【０００７】
それゆえに本発明は上記従来の問題点に鑑みてなされ、目標物に対するヘッドのフェース面の向き調整を容易に且つ正確に行うことができるゴルフクラブ及びその補助具を提供することを課題とする。
【課題を解決するための手段】
【０００８】
本発明は上記課題を解決すべくなされたものであって、本発明に係るゴルフクラブは、前方の目標物を映してヘッドの上方から見えるようにする鏡部がヘッド又はヘッドの近傍に後方に傾斜して設けられたゴルフクラブであって、鏡部の上方に位置して平面視においてヘッドのフェース面と直交する前後方向に延びる方向表示バーと、鏡部の前方であって且つ方向表示バーより低い位置にあって平面視において方向表示バーと同一線上に位置する照準用表示部とを備えていることを特徴とする。
【０００９】
該構成のゴルフクラブにあっては、鏡部の上方に方向表示バーが位置しているので、プレーヤは上方からこの方向表示バーを直接見ることができる。一方、鏡部の前方には照準用表示部が位置しているので、鏡部には照準用表示部が映っている。従って、プレーヤは、方向表示バーと鏡部に映っている照準用表示部とが合致するように、目線を内外方向に合わせる。そして、引き続き鏡部に映った目標物を見ながらその目標物が方向表示バーに合致するようにヘッドの角度を調整する。鏡部に映った前方の目標物と方向表示バーとが合致すれば、ヘッドのフェース面は目標物を向くことになり、目標物に向けて正確にボールを打つことができる。
【００１０】
特に、鏡部の前方に方向表示バーを支持する支持部が設けられ、該支持部の後面に照準用表示部が設けられていると、強度面や耐久性の観点から好ましい。そして、その支持部の後面に照準用表示部を設けることにより支持部を効率良く利用することができると共に、照準用表示部を平面視において方向表示バーと同一線上に設けることも容易となる。
【００１１】
更に、支持部は、アーチ状に形成されて平面視において前後方向と直交し、該支持部の頂部で方向表示バーを支持することが好ましい。支持部をアーチ状に形成することによりその下方には空間が形成されるので、支持部が邪魔になりにくく、鏡部に前方の目標物をはっきりと映すことができる。
【００１２】
また、方向表示バーは薄板状であってその端面が上方を向くように立っていることが好ましい。薄板状であるので、鏡部を見るときの妨げになりにくく、しかも、強度面にも優れている。更に、表面及び裏面（側面）と端面とを互いに異なる色彩にすれば、表面等と端面との識別が容易になり、目線の内外方向の調整を簡易的に行うこともできる。即ち、上方から方向表示バーを見たときに仮に端面と共に表面等も見えれば、目線が鉛直上方にはなく内外方向にずれていることになる。従って、方向表示バーの端面のみが見えるように目線を内外方向に調整することにより、簡易的に目線を鉛直上方に位置させることができる。尚、表面等の色彩と端面の色彩を互いに対立する色彩（例えば黄色と黒色や青色など）とすれば、より一層視認しやすい。
【００１３】
また、方向表示バーは鏡部よりも後方に突出していることが好ましい。方向表示バーは、目標物に向けての打球の方向を示すものでもある。従って、方向表示バーが後方に突出していると、その突出部分が目立つので、バックスイング時において方向表示バーの残像が残りやすくなり、その残像を手がかりとしてバックスイング及びその後の前方へのスイングを打球方向に沿って正確に行うことができる。
【００１４】
また、方向表示バーはフェース面よりも前方に突出していることが好ましい。この場合も同様に、その突出部分が目立つので、バックスイング時において方向表示バーの残像が残りやすくなり、その残像を手がかりとしてバックスイング及びその後の前方へのスイングを打球方向に沿って正確に行うことができる。更に、特にパターに適用した場合には、突出部分がボールの中心の上方に位置することになるので、より一層正確にボールを打つことができる。
【００１５】
また、方向表示バーの上面には、前後方向の長さを示す目盛りが設けられていることが好ましい。方向表示バーの目盛りを見ながらヘッドを前後方向に傾けると、鏡部に映っている目標物等もそれに合わせて前後に移動する。従って、例えば、目標物が高いところに位置するのかあるいは低いところに位置するのかという傾きの大小の情報を簡易的に得ることができる。また、目標物の高さ（例えばポールの高さ）がわかっている場合にはそこまでの距離も把握できるので、アンアンに適用した場合に好適である。
【００１６】
また、支持部がアーチ状に形成されている場合にあっては、鏡部に水平基準線が映るように鏡部の前方には水平基準面が設けられ、支持部の上面には角度を示す目盛りが設けられ、支持部の頂部の下方には角度の中心を示す中心マークが設けられていることが好ましい。プレーヤはまずシャフトを立てるようにしてヘッドを略水平状態とする。そして、鏡部に映った前方の地形が傾いている場合には、ヘッドを傾けて鏡部に映っている水平基準線と前方の地形とを平行にする。その際に、中心マークと支持部の上面の目盛りとからヘッドの傾きを概略把握でき、そこから前方の地形の傾きを簡易的に把握することができる。
【００１７】
また、本発明に係るゴルフクラブの補助具は、ゴルフクラブに取り付けられてヘッドのフェース面を前方の目標物に向けるための補助となるゴルフクラブの補助具であって、目標物を映してヘッドの上方から見えるようにする後方傾斜の鏡部と、鏡部の上方に位置して平面視においてヘッドのフェース面と直交する前後方向に延びる方向表示バーと、鏡部の前方であって且つ方向表示バーより低いに位置にあって平面視において方向表示バーと同一線上に位置する照準用表示部とを備えていることを特徴とする。
【発明の効果】
【００１８】
以上のように、方向表示バーを設けているので、鏡部には縦線を引く必要がないうえに、その耐久性も飛躍的に向上する。そして、方向表示バーは直視できると共に従来の鏡部の縦線に比して見やすいので、プレーヤは方向表示バーを見ながら前方の目標物をそれに容易に合致させることができる。しかも、鏡部を見ながら目線の内外方向の調整とヘッドの角度調整の双方を行うことができるので、作業が容易且つスムーズである。
【図面の簡単な説明】
【００１９】
【図１】本発明の一実施形態におけるゴルフクラブを示す正面図。
【図２】図１のＡ−Ａ断面図。
【図３】同実施形態におけるゴルフクラブの平面図。
【図４】図２のＢ−Ｂ断面図。
【図５】本発明の他の実施形態におけるゴルフクラブを示す断面図。
【発明を実施するための形態】
【００２０】
以下、本発明の一実施形態にかかるゴルフクラブについて図１乃至図４を参酌しつつ説明する。図１乃至図４に示すゴルフクラブは、ヘッド１のフェース面４を前方の目標物に向けることに適したパターである。尚、矢印Ｘの方向が前後方向で、矢印Ｙの方向が内外方向である。
【００２１】
該パターは、目標物を映してヘッド１の上方から見えるようにする後方傾斜の鏡部１０と、鏡部１０の上方に位置して平面視においてヘッド１のフェース面４と直交する前後方向に延びる方向表示バー１１と、鏡部１０の前方であって且つ方向表示バー１１より低い位置にあって平面視において方向表示バー１１と同一線上に位置する第１及び第２の照準用表示部１２，１３とを備えている。
【００２２】
鏡部１０は、ヘッド１のソール部５から後方に向かって斜め上方に延びており、その傾斜角度は例えば４５度である。鏡部１０は、ヘッド１のフェース面４の横幅（内外方向の寸法）と略同じ横幅であって、平面視矩形の板状に形成され、その表面（上面）が鏡面となっている。そして、鏡部１０の上端部の略中央には切欠１４が形成され、その切欠１４に前記方向表示バー１１が差し込まれて溶接や接着等により固定されている。尚、鏡部１０には例えばステンレス等の金属板が使用できる。その場合、ソール部５に溶接にて一体化することができ、また研磨により表面を容易に鏡面にすることができる。
【００２３】
また、ヘッド１のフェース部３の上方には、アーチ状に形成された支持部１５が設けられている。該支持部１５は、その前面１５ａがフェース面４と面一になるように、フェース部３の内外方向両端（両側部）から上方に向けて延びていて、平面視において前後方向と直交し、即ち、内外方向に延びている。より具体的には、支持部１５は、図１に示すように、フェース部３の上面３ａの内外方向の中心を中心とした略半円の円弧状に形成され、図３に示すようにその前後方向の幅は略一定であってフェース部３よりも幅広に形成されている。尚、フェース部３の上面３ａがヘッド１の水平基準面であり、該フェース部３の上面３ａの内外方向の中心には中心マーク６が設けられていて、その位置をプレーヤが上方から容易に視認できるようになっている。そして、支持部１５の上面１５ｂには図３に示すように、中心マーク６を中心とした前後方向の軸線まわりのヘッド１の傾き角度を示す目盛り１６が設けられている。該目盛り１６は例えば１０度毎に形成され、特に中央部分（例えば両側２０度までの部分）には図示しないが１度刻みや５度刻みの細かい目盛りとすることが好ましい。
【００２４】
更に、支持部１５の後面１５ｃにも、上面１５ｂの目盛り１６と同様に１０度毎に角度の目盛り１７が設けられている。そして、支持部１５の後面１５ｃにおける前後方向の中央の部分、即ち、最も高い位置には、図４にクロスハッチングにて示すように、上下方向に延びる第１の照準用表示部１２が形成されている。該第１の照準用表示部１２は、中心マーク６の真上に位置していて、容易に視認できる程度の太さの線状に形成され、例えば、黒色や青色に着色されている。そして、支持部１５の後面１５ｃにおいて第１の照準用表示部１２の左右両側には、それぞれ所定幅の背景エリア部１８が設けられている。該背景エリア部１８は第１の照準用表示部１２とは対立する色彩、例えば、黄色や橙色に着色された領域であり、これによって第１の照準用表示部１２の視認性を高めている。尚、背景エリア部１８の幅は任意であるが、本実施形態では、後述の照準補助体１９の幅と同幅としている。
【００２５】
そして、該支持部１５の頂部で前記方向表示バー１１を支持するように、その頂部の上面１５ｂに方向表示バー１１が溶接や接着等で固定されている。該方向表示バー１１は、中心マーク６の真上に位置していて平面視においてヘッド１（詳細には支持部１５及び鏡部１０）を内外に二分している。また、方向表示バー１１は、支持部１５と鏡部１０の上端部即ち後端部とを前後に架橋するように延びていると共に、フェース面４よりも前方に所定長さ突出し、且つ、鏡部１０から後方にも所定長さ突出している。かかる方向表示バー１１は、薄板状であって、その上端面１１ａと下端面が上方と下方を向くように立設されており、図２のように、水平方向に延びている。そして、方向表示バー１１は、フェース面４から前方に突出した突出部分が側面視において先細り形状具体的には三角形状に形成されて、それ以外の部分が上下方向の幅が一定の細長い長方形状に形成され、全体として側面視矢印状となっている。この方向表示バー１１の三角形状の突出部分の後端部、即ち、三角形状の突出部分と細長い長方形状の部分との段差の部分は、支持部１５よりも下方に突出しており、その下方に突出している部分の後面が第２の照準用表示部１３として構成され、第１の照準用表示部１２と同様に図４にクロスハッチングにて示している。
【００２６】
即ち、図４に示すように、方向表示バー１１の直下に前記第１の照準用表示部１２が位置しており、該第１の照準用表示部１２は方向表示バー１１との間に間隔を空けないように位置している。そして、第１の照準用表示部１２と後方から見て上下に連続するように第２の照準用表示部１３が位置している。該第２の照準用表示部１３も第１の照準用表示部１２と同色とされていて両者は上下に一直線状となっている。従って、第１の照準用表示部１２の幅は方向表示バー１１の厚さ（内外方向の幅）と略同一として連続性を持たせている。
【００２７】
更に、方向表示バー１１には、支持部１５の直ぐ前側の位置に内外方向に所定幅を有する照準補助体１９が取り付けられている。該照準補助体１９は、方向表示バー１１の両側面１１ｂにそれぞれ設けられ、その後面は、上述した支持部１５の後面１５ｃにおける背景エリア部１８と同色とされていて支持部１５から下方に突出し、支持部１５の背景エリア部１８と同様に背景エリア部２０を構成している。従って、上述した第２の照準用表示部１３は両照準補助体１９の背景エリア部２０によって挟み込まれた状態となっている。また、支持部１５から下方に突出した部分における背景エリア部２０の例えば上下方向略中央には、水平方向に伸びる前後方向基準線２１（図４にクロスハッチングにて示す）が形成されている。該前後方向基準線２１は、第２の照準用表示部１２と同色の黒色や青色で形成されている。また、照準補助体１９の上面も背景エリア部１８，２０と同色の黄色や橙色とし、更に支持部１５の上面１５ｂのうち照準補助体１９と同じ幅の領域についても同色の黄色や橙色とすれば、スイング時において、鏡部１０に映った背景エリア部１８，２０と共に黄色や橙色が帯状の残像となるので、打球方向が定まりやすい。
【００２８】
また、方向表示バー１１の上端面１１ａ（上面）には、図示しないが、前後方向の長さを示す目盛りが設けられている。より詳細には、後側には細かい目盛りが設けられ、前側には荒い目盛りが設けられている。また、方向表示バー１１の上端面１１ａには、図３に示すように、目線の前後方向の調整のための基準マーク３０が形成されている。更に、基準マーク３０よりも前側には、ヘッド１の前後方向の傾きを知るためのマークとして、３０度の傾斜を示す第１マーク３１と、４５度の傾斜を示す第２マーク３２とが、方向表示バー１１の上端面１１ａに形成されている。
【００２９】
尚、方向表示バー１１の側面１１ｂは黒色や青色に着色される一方、その上端面１１ａはそれと対立する黄色や橙色に着色されている。尚、上述の照準補助体１９の上面や支持部１５の上面１５ｂのうち照準補助体１９と同じ幅の領域を例えば黄色とするならば、方向表示バー１１の上端面１１ａはそれとは異なる橙色として両者を識別しやすいようにすることが好ましい。更に、方向表示バー１１の幅方向の中央に中心線を黒色で形成しておくと尚良い。
【００３０】
また、フェース部３と鏡部１０との間には、内外方向の中央において両者を前後方向に連結するように連結壁７が立設されており、該連結壁７はフェース部３と略同一高さに形成されている。更に、ホーゼル部８が上方に延びていてシャフト２が固定されている。
【００３１】
以上のように構成されたパターにあっては、鏡部１０の上方に方向表示バー１１が位置していて前後方向に延びているので、プレーヤは上方から方向表示バー１１を直視して容易に打球方向を把握することができる。この方向表示バー１１は、従来の縦線のように鏡部１０に引かれたものと比べると視認しやすいうえにその耐久性も非常に高いものである。そして、鏡部１０には、第１及び第２の照準用表示部１２，１３が映っているが、鏡部１０に縦線を引く場合に比して照準用表示部１２，１３を容易に太く設定できるので、鏡部１０に映っている照準用表示部１２，１３を上方から容易に視認できる。尚、図３において鏡部１０上に二点鎖線にて示しているものは、鏡部１０に映っている、支持部１５と照準補助体１９の像、並びに水平基準線としてのフェース部３の上面３ａである。
【００３２】
また、第１の照準用表示部１２の下方に第２の照準用表示部１３が連続的に位置して一つの直線となって鏡部１０に映るので、十分な長さが確保でき、良好な視認性が得られる。しかも、第１及び第２の照準用表示部１２，１３の左右両側には背景エリア部１８，２０が設けられているので、前方の風景が鏡部１０に映っていても、背景エリア部１８，２０との対比において第１及び第２の照準用表示部１２，１３を容易に視認することができる。従って、プレーヤは方向表示バー１１と第１及び第２の照準用表示部１２，１３とが合致するように目線を内外方向に容易に調整することができる。しかも、照準補助体１９の後面に設けられた前後方向基準線２１が鏡部１０に映っているので、プレーヤは、鏡部１０に映っている前後方向基準線２１に方向表示バー１１の上端面１１ａにおける基準マーク３０が合致するように目線を前後方向にも容易に調整することができ、より一層正確な目線調整が可能となる。そして、鏡部１０に映っている前方の目標物と方向表示バー１１とを合致させることで、ヘッド１のフェース面４を目標物に容易に向けてパッティングを行うことができる。
【００３３】
更に、方向表示バー１１が薄板状であるので、鏡部１０を上方から見るときに方向表示バー１１がその妨げになりにくく、しかも、十分な強度を確保することも容易である。更には、方向表示バー１１の側面１１ｂと上端面１１ａとを互いに異なる色彩、特に対立する色彩とすることにより、側面１１ｂと上端面１１ａとの識別が容易になり、簡易な目線の調整にも利用できる。即ち、上方から方向表示バー１１を見たときに仮にその側面１１ｂが見えれば、目線が方向表示バー１１の鉛直上方にはなく内外方向にずれていることになる。従って、方向表示バー１１の上端面１１ａのみが見えるように目線を内外方向に調整することにより、簡易的に目線を方向表示バー１１の鉛直上方に位置させることができるのである。
【００３４】
また更に、方向表示バー１１が鏡部１０より後方に突出すると共にフェース面４より前方にも突出しているので、パッティングの際にパターを後方にバックスイングした時に、打球方向を示す方向表示バー１１の残像が残りやすく、従って、その残像を手がかりとしてバックスイングとそこからの前方へのスイングを狙った打球方向に沿って正確に行うことができる。また、方向表示バー１１がフェース面４から前方に突出しているので、図４のようにボール５０の中心の上方に方向表示バー１１の突出部分が位置することになって、より一層正確なパッティングが可能となる。
【００３５】
また、方向表示バー１１の上端面１１ａに前後方向の長さを示す目盛りが設けられているので、前方の目標物とプレーヤとの間の地形の傾きの大小を簡易的に把握できる。つまり、方向表示バー１１の目盛りを見ながらヘッド１を前後方向に傾けると、鏡部１０に映っている目標物もそれに合わせて前後に移動するので、その移動量を目盛り１６から読み取ることで大まかな傾きの大小を把握できる。また、目標物の高さがわかっている場合にはそこまでの距離も把握できる。尚、方向表示バー１１の上端面１１ａの第１マーク３１と前後方向基準線２１とが合致すればヘッド１の前側が上方に約３０度傾いたことになり、同様に第２マーク３２と前後方向基準線２１とが合致すれば約４５度傾いたことになる。
【００３６】
また、方向表示バー１１が支持部１５に支持されているので、少なくとも支持部１５と鏡部１０との間において方向表示バー１１が曲がったりするということがなく、十分な強度と耐久性を確保できる。そして、その支持部１５の後面１５ｃに第１の照準用表示部１２を設けているので、支持部１５の後面１５ｃを効率よく利用することができるうえに、方向表示バー１１の直下に第１の照準用表示部１２を正確に位置させることも容易である。しかも、支持部１５がアーチ状に形成されているので、支持部１５の剛性が確保されるうえに、その下方の空間を介して前方の目標物を鏡部１０に映すことができる。
【００３７】
更に、支持部１５の上面１５ｂに中心マーク６を中心とする角度を示す目盛り１６が設けられているので、前方の地形の傾きを簡易的に把握することが可能である。即ち、鏡部１０に映ったフェース部３の上面３ａ（水平基準面）を水平基準線（図３の二点鎖線を参照）にして、その水平基準線に前方の地形を合わせるようにヘッド１を内外方向に傾ける。その際の傾きを支持部１５の上面１５ｂの目盛り１６から把握することで、前方の地形の傾きがわかる。
【００３８】
尚、支持部１５の後面１５ｃに濃淡の異なる複数の緑色の色見本部を設けてもよい。支持部１５の後面１５ｃには上述したように角度の目盛り１７が設けられているので、その目盛り１７で区画された領域毎に徐々に濃淡が異なるようにしてもよい。更には、支持部１５の両基端部から頂部にかけて徐々に色見本部の濃度を濃くしたり逆に薄くしたりしてもよく、特に、第１の照準用表示部１２と背景エリア部１８の存在により、両基端部から頂部にかけて徐々に色見本部の濃度を薄くすることが好ましい。このように、緑色の色見本部を支持部１５の後面１５ｃに設けると、鏡部１０には前方のグリーンの芝と共に色見本部が映ることになり、色見本部を基準にしてグリーンの芝の色を容易に識別できる。例えば、グリーンの芝の色が比較的薄い場合には芝が順目であり、逆に比較的濃い場合には逆目であることが容易に把握できる。
【００３９】
尚、本実施形態ではパターとして説明したが、図５のようにアイアンにも無論適用可能である。図５に示すアイアンは、上記パターと同様に鏡部１０と方向表示バー１１と第１及び第２の照準用表示部１２，１３とを備えている。それらの詳細もほぼ同様であるが、鏡部１０はフェース面４の上端部から後方に向かって斜め上方に延設され、支持部１５はフェース面４の上端部に位置している。尚、方向表示バー１１の上端面１１ａに上述したように前後方向の長さを示す目盛りを設けた場合には、目標物の高さ（例えばポールの高さ）がわかっていると、そこまでの距離も大まかに把握できるので、特にアンアンには好適である。
【００４０】
尚、上記実施形態では、方向表示バー１１を薄板状とした場合について説明したが、これに限られず、例えば、丸棒状や角棒状としてもよい。また、方向表示バー１１を支持部１５から前方に突出させると共に鏡部１０から後方に突出させているが、これらの何れかあるいは双方共に突出させない構成としてもよい。また、支持部１５まで達しなくそれで支持されない自由端の構造とすることもできる。
【００４１】
また、支持部１５を半円の円弧状のアーチ状としたが、例えば矩形門型のアーチ状としてもよい。何れにしても、支持部１５をアーチ状とすることで、それ自体の強度を容易に確保できると共にその下方の空間を介して前方の目標物を鏡部１０にはっきりと映すことができる。但し、支持部１５の形状はアーチ状には限られず種々の形状を採用できる。例えば、支持部１５を円形とするなど中空形状とすれば、前方視界が遮られずに前方の目標物を鏡部１０に映すことができる。
【００４２】
また更に、第１の照準用表示部１２と第２の照準用表示部１３とを設けたが、何れか一方を省略してもよい。また、背景エリア部１８，２０を設けているが、それを省略することもでき、あるいは、左右一方のみに設けることもできる。同様に、照準補助体１９を省略する構成としてもよい。
【００４３】
尚、鏡部１０や方向表示バー１１、支持部１５をヘッド１に一体に設けた一体構成のゴルフクラブについて説明したが、これらの一部あるいは全部を着脱可能な構成としてもよい。また、鏡部１０と方向表示バー１１と照準用表示部１２，１３とを備えた補助具をヘッド１に取り付けるようにしてもよく、例えば、既存のゴルフクラブに補助具を取り付けて練習用のゴルフクラブとすることもできる。尚、鏡部１０等をシャフト２に取り付ける構成としてもよい。
【符号の説明】
【００４４】
１    ヘッド
２    シャフト
３    フェース部
３ａ  上面
４    フェース面
５    ソール部
６    中心マーク
７    連結壁
８    ホーゼル部
１０    鏡部
１１    方向表示バー
１１ａ  上端面（上面）
１１ｂ  側面
１２    第１の照準用表示部
１３    第２の照準用表示部
１４    切欠
１５    支持部
１５ａ  前面
１５ｂ  上面
１５ｃ  後面
１６    目盛り
１７    目盛り
１８    背景エリア部
１９    照準補助体
２０    背景エリア部
２１    前後方向基準線
３０    基準マーク
３１    第１マーク
３２    第２マーク
５０    ボール
【図１】
2010246843.tif 000003
【図２】
2010246843.tif 000004
【図３】
2010246843.tif 000005
【図４】
2010246843.tif 000006
【図５】
2010246843.tif 000007